(57)【要約】 【課題】  和服を床に広げずに簡単に和服を畳んで洋服ダンス内にも収納可能にする和服折りたたみ用具と折りたたみ方法を提供する。【解決手段】  軸部から前方向に向かって折りたたみ自在にした略肩幅の長さに伸びた左右一対の腕杆にそれぞれ下垂部を設け、前記左右の下垂部の前面に設けた和服の前身頃を掴む掴み具と、前記軸部を起点に上方に開口した凹部と、を含む和服折りたたみ用具を用いて、前記左右の腕杆を和服の内側に挿入し、和服の左右の前身頃の適所を前記掴み具によって掴み、前記左右の腕杆を前方向に折りたたみ、前記凹部にそって後ろ衿を前方に折りこみ、和服の左右の袖を和服の後ろ身頃に重ね、和服の身頃を二つ折りにして裾を袖に重ねることによって和服を折りたたむ。【選択図】    図１７
2009261750.tif 000002
【特許請求の範囲】
【請求項１】
左右一対の腕杆を中央の軸部で前方向に向かって折りたたみ自在とし、かつ展開時の全長を和服の略肩幅の長さとし、前記左右の各腕杆には下方へ延設した下垂部と、各下垂部の前面に設けた和服の前身頃の一部を掴む掴み具と、前記軸部を底として上方へ開口した一個の凹部を形成する切欠をそれぞれ設けた和服折りたたみ用具。
【請求項２】
前記左右それぞれの下垂部には、手指を掛ける凹部を内方向に開口して設けた請求項１記載の和服折りたたみ用具。
【請求項３】
前記左右の腕杆には、表裏方向に薄い板材を縦に用いた請求項１記載の和服折りたたみ用具。
【請求項４】
前記一対の掴み具は、上下方向に位置的にずれて設けられている請求項１記載の和服折りたたみ用具。
【請求項５】
前記掴み具は、和服の前身頃を掴む先端部を下方に向かって傾斜して設けた請求項１記載の和服折りたたみ用具。
【請求項６】
前記左右の腕杆を一枚の布地にて覆い、左右の腕杆間の布地単独部分を縦方向に縫い合わせ、この縫合部を軸部とした請求項１記載の和服折りたたみ用具。
【請求項７】
請求項１記載の用具を用いて和服を折りたたむ方法であって、前記左右の腕杆を和服の前方前身頃の開口部から和服の肩山の内側に略肩幅まで挿入し、前記軸部を和服の背縫いの線に合わせ、左右それぞれの和服の衿を和服の衿付けの線に沿って外方向に折り左右それぞれ和服の前身頃に重ね、重ねた衿と前身頃を前記左右の掴み具によってそれぞれ掴み、前記左右の腕杆を前方向に折りたたんで左右の前身頃を重ね合わせ、同時に前記上方へ開口した凹部に沿って和服の後ろ衿を前方向に折りこみ、和服の左右の袖を袖付けの線に沿ってそれぞれ外方向に折り和服の後ろ身頃に重ね、和服の身頃を二つ折りにして和服の裾を袖に重ねることによって和服をたたむことを特徴とする和服折りたたみ方法。
【発明の詳細な説明】
【技術分野】
【０００１】
本発明は、和服を床に広げて置かずに空中で簡単にたたむことができる和服折りたたみ用具とその折りたたみ方法に関する。
【背景技術】
【０００２】
従来の和服ハンガーでは腕杆が袖幅まで伸びているため、和服に挿入する際にその長い腕杆がじゃまになり、袖付け等の箇所にて途中で引っかかってしまう等、非常に使いにくい（特許文献１）。
【０００３】
また、腕杆が伸び縮じみするタイプのハンガーでも、和服の中に挿入してから腕杆を引き伸ばす際に袖穴に手を入れたりして引っかからないように気をつけながら挿入するなどの手間がかる（特許文献１）。
【０００４】
従来の和服ハンガーでは、左右の衿を前身頃に折り重ねる機能がないため、和服を完全にたたむことができない（特許文献１、特許文献２）。
【０００５】
従来の和服ハンガーではハンガーの中央部が平坦でしかもその中央部にフックが付いているため、後ろ衿を前方向に折りこむことができない（特許文献１、特許文献２）。
【０００６】
従来の和服ハンガーでは和服を一時的につるすだけで、腕杆が長すぎて、洋服ダンスへの収納に無理を生じる（特許文献１）。
【０００７】
従来の和服ハンガーでは和服を吊るす際に、和服自身の身丈が身長の高さ同等の長さがあるため、つまり洋服の外套（コート）よりも丈が長いために、洋服ダンスへの収納に無理を生じる（特許文献２）。
【０００８】
通常、和服をたたむには、複雑で非常に手間と時間を要するもので、本来、和服を折りたたむたむための技術を身につける必要があるため、誰にでもできることではない。また和服をたたむためには、和服をいったん床に広げて置く必要があるので、汚れた床面に置くと和服が汚れてしまうなど、和服を畳むという行為自体が非常に難解である。
【０００９】
【特許文献１】登録実用新案第３０４４２５０号
【特許文献２】特開平８−１８２６０２号公報
【発明の開示】
【発明が解決しようとする課題】
【００１０】
和服折りたたみ用具を和服の肩山の内側に簡単に挿入できることを目的とする。
【００１１】
和服の左右の左右の衿を前身頃に折り重ねることを目的とする。
【００１２】
和服の後ろ衿を簡単に内側に折り込まれることを目的とする。
【００１３】
横幅が長い和服を洋服ダンス内に収納可能にすることを目的とする。
【００１４】
身丈の長い和服でも洋服ダンスに綺麗に収納できることを目的とする。
【００１５】
和服折りたたみ用具にて和服を簡単に素早くたたむことで、洋服ダンスに和服を収納できることを目的とする。
【００１６】
本発明は段落０００８に記載したような課題を解決することを目的とする。
【課題を解決するための手段】
【００１７】
上記課題を解決するため、請求項１に記載の発明においては、
軸部から前方向に向かって折りたたみ自在にし、展開時の全長を和服の略肩幅の長さと同じにした左右一対の腕杆と、前記左右それぞれの腕杆から下方向へ延設した下垂部と、各下垂部の前面にそれぞれ設けた和服の前身頃の適所を掴む掴み具と、前記軸部を底として上方へ開口した一個の凹部を形成する切欠を設けた和服折りたたみ用具であることを特徴としている。
【００１８】
前記左右それぞれの下垂部に手指を掛ける凹部を内方向に開口した和服折りたたみ用具であることを特徴とする。
【００１９】
前記左右の腕杆は表裏方向に薄い板材を用いた和服折りたたみ用具であることを特徴とする。
【００２０】
前記一対の掴み具は上下方向にずれて設置している和服折りたたみ用具であることを特徴とする。
【００２１】
前記掴み具は和服の衿を掴む先端部を下方に向かって傾斜して設置した和服折りたたみ用具であることを特徴としている。
【００２２】
前記左右の腕杆を分離して布地にて覆い、且つ前記分離した部分を縦方向に縫合し、この縫合部を前記軸部とした和服折りたたみ用具であることを特徴とする。
【００２３】
請求項１記載の用具を用いて和服を折りたたむ方法であって、前記左右の腕杆を和服の前方前身頃の開口部から和服の肩山の内側に略肩幅まで挿入し、左右それぞれの和服の衿を和服のおくみの線に沿って外方向に折り左右それぞれ和服の前身頃に重ね、重ねた衿と前身頃を前記左右それぞれの掴み具によって係止めし、前記左右の腕杆を前方向に折りたたんで左右の前身頃を重ね合わせ、同時に前記凹部にそって和服の後ろ衿を前方向に折りこみ、和服の左右の袖を袖付けの線に沿ってそれぞれ外方向に折り和服の後ろ身頃に重ね、和服の身頃を二つ折りにして和服の裾を袖に重ねることによって和服をたたむ和服折りたたみ方法であることを特徴とする。
【発明の効果】
【００２４】
本発明は立ったままの体勢で和服を簡単にたたむことを可能にして、簡単に洋服ダンス等に収納を可能にする和服折りたたみ用具を提供することができる。
【００２５】
本発明によれば、開時の左右腕杆の全長が略肩幅までの長さに制限したことで、簡単に和服の肩山内に挿入が可能な和服折りたたみ用具を提供することができる。
【００２６】
また本発明によれば、前身頃の左右それぞれの衿を衿付け部にそって外方向に折って前身頃に重ね、その左右それぞれの衿と前身頃を重ね合わせた部分を、それぞれ左右の掴み具によって掴むだけで、同時に脇の線も裾まで折りたたむことが可能な和服折りたたみ用具を提供することができる。
【００２７】
さらに本発明によれば、凹部４によって左右の腕杆を前方向に折りたたむと同時に和服の後ろ衿が自動的に前方向に折りこまれることが可能な和服折りたたみ用具を提供することができる。
【発明を実施するための最良の形態】
【００２８】
以下、本発明を実施例に沿って説明する。
【実施例１】
【００２９】
以下、図１から図１１を参照にして本発明の発明を実施するための第１の実施例形態について説明する。
【００３０】
図１は、本発明の和服折りたたみ用具の基本的な構成の一例を示す図であり、
左右が中央で一体化した腕杆１，２を横方向のおよその長さを和服の肩幅に合わせ、素材の強度にあわせて厚さ約２〜５ｍｍほどの薄いプラスチックや樹脂等を使い、図５の断面図に示された腕杆上辺の端１５に丸みを形成する。
【００３１】
図１に示されるように、左右の腕杆１，２の軸部付近から下方向に約１０〜２０ｃｍの下垂部９，１０をそれぞれ形成して、その左右それぞれの下垂部９，１０に内方向へ直径約５〜８ｃｍほどの半円形の凹部５，６を開口し、図１に示されるように、軸部３から左右の腕杆１，２にかけて横幅が約１０〜２０ｃｍで縦は約３〜１０ｃｍほどの半円形の凹部を形成する。
【００３２】
背面側の腕杆１，２との間の中央部分に図８に示されるようＶ字状の溝１１を縦方向に２本入れることで軸部３を形成し、
【００３３】
左右腕杆１，２が前方に閉じる時に図９のように溝１１の断面が開き、折り目１２が折れるようにし、左右腕杆１，２を左右方向に開く時は図８のように溝１１の断面がＶ字状に戻るようにする。
【００３４】
図１１に示されるような掴み具７，８をプラスチックや樹脂等で形成し、その左右の掴み具７，８を左右それぞれの下垂部９，１０前面の内方向に近い位置で且つ図９のように腕杆１，２が前方への閉時に掴み具７，８が互いにぶつからないよう図１０に示されたように上下方向に少しずらして、さらに左右の掴み具の左右それぞれの先端部は左右外方向で下方斜めに若干傾斜して、下垂部９，１０の前面に設置する。
【００３５】
掴み具７，８の設置は図１１に示された掴み具の取り付け片１４によって左右それぞれ下垂部９，１０の前面にしっかりと固定する。
【実施例２】
【００３６】
以下、図２５から図３５を参照にして本発明の発明を実施するための第２の実施例形態について説明する。尚、実施例１と同一の物は同一の符号を付けて、変形部分を説明する。
【００３７】
左右それぞれの軸部開閉片４２、４３、４４、４５をプラスチック又は金属等を使って、図２５に示されるように、腕杆２の右端に軸部開閉片４２，４３を上下に間隔をあけて平行に設置し、腕杆１の左端に軸部開閉片４４，４５を上下に間隔をあけて平行に設置し、その間隔は軸部開閉片４２，４３の内側に入り且つ軸部開閉片４２，４３と上下方向にそれぞれ接触させる位置にする。
【００３８】
図３１、図３３に示されるように軸部開閉片４２，４３に円形の穴をあけ、軸部開閉片４４，４５にその穴にはめ込めるサイズの円形の凸部を形成し、凸部４６が穴４８に，凸部４７が穴４９にはめ込ませることで軸部を構成し、図２７，３５のように左右の腕杆１，２を前方に自在に開閉する。
【実施例３】
【００３９】
以下、図３６から図３８を参照にして本発明の発明を実施するための第３の実施例形態について説明する。尚、実施例１と同一の物は同一の符号を付けて、変形部分を説明する。
【００４０】
図３６から図３８に示されるように左右腕杆１，２を分離させて、その間に約５〜１０ｍｍの間隔をあけた状態で外側から着物地や洋服地などの布地で覆い周囲を縫合し、中央の間隔のあいた箇所の布地部分に縦方向へ２本縫合することで、その縫合部を軸部として、左右腕杆１，２が前方へ自在に開閉する。
【実施例４】
【００４１】
以下、図３９から図４１を参照にして本発明の発明を実施するための第４の実施例形態について説明する。尚、実施例１と同一の物は同一の符号を付けて、変形部分を説明する。
【００４２】
図３９から図４１に示されるように掴み具７，８から掴み具の取り付け片を外すことによって、掴み具７，８を左右それぞれの凹部５、６にはめ込みで取り外し可能にし、掴み具７，８を左右それぞれの凹部５、６にはめ込んだまま、和服の前身頃を一緒に掴む。
【実施例５】
【００４３】
以下、図４２から図４４を参照にして本発明の発明を実施するための第５の実施例形態について説明する。尚、実施例１と同一の物は同一の符号を付けて、変形部分を説明する。また、各図の和服の灰色部分は和服の外側の部分を示し、各図の和服の白色部分は和服の内側の部分を示す。
【００４４】
図４４のように面ファスナーを掴み具７，８をとして、下垂部９，１０の前面に装着し、図４３のように和服の前身頃の裏側左右それぞれの剣先２２，２３より若干上方の場所に面ファスナー５７，５８をそれぞれ貼り付け、
【００４５】
左右それぞれの面ファスナー５７，５８によって接着することで左右の前身頃を掴む。
【実施例６】
【００４６】
以下、図４５を参照にして本発明の発明を実施するための第６の実施例形態について説明する。尚、実施例１と同一の物は同一の符号を付けて、変形部分を説明する。
【００４７】
図４５に示されるように左右腕杆１，２にそれぞれ穴５３，５４をあけ、吊り下げフック５２の紐を左右それぞれ穴５３，５４に結んで取り付けることで、壁等にぶら下げるようにする。
【実施例７】
【００４８】
以下、図１２から図２４を参照にして本発明の実施方法について説明する。尚、各図の和服の灰色部分は和服の外側の部分を示し、各図の和服の白色部分は和服の内側の部分を示す。
【００４９】
図１２に示されるように、本発明の和服折りたたみ用具を和服の前身頃２９，３０の開口部正面から肩山１６，１７の内側に挿入し、左右の腕杆１，２を肩幅に合わせて、腕杆上辺の端１５を肩山１６，１７の縫い目に当て、さらに図１７のように背縫い３８の線に軸部３の中央を合わせる。
【００５０】
図１４のように和服の左右の衿１８，１９は衿付けの線に、左右のおくみ２０，２１は、おくみ付け５０，５１の線に沿って、それぞれ外方向へ折り、左右それぞれの前身頃２９，３０に重ねる。
【００５１】
図１７のように、和服の左の衿１８と左の前身頃２９の重ねたものは左の掴み具７で係止めし，右の衿１９と右の前身頃３０の重ねたものは右の掴み具８で掴む。
【００５２】
図１８のように左右の腕杆１，２を前方に閉じることで、和服を背縫い３８の線に沿って前方に折りたたんで前身頃２９，３０を合わせ、同時に後ろ衿２８を凹部４に沿って前方向へ折りこんで左右腕杆１，２の間に収納し、図１９のようになる。
【００５３】
図２０のようにそれぞれ袖３１，３２を袖付けの線にそって外側へ折り、和服の後身頃３３に重ね、図２１のように袖山３９，４０と肩山１６，１７を揃える。
【００５４】
裾３４を揃えて、図２１の目安線３６に沿って折り、袖に重ねてたとう紙に入れ、和服ダンスに収納する。
【００５５】
また図２１の目安線３６の代わりに図２３の目安線３７にＵ字型ハンガー３５を当てて、袖３１，３２と前身頃２９，３０、後ろ身頃３３を重ねたまま目安線３７にそって折り、後身頃３３に重ねることによって、Ｕ字型ハンガー３５でぶら下げて洋服ダンス内に吊り下げて収納してもよい。
【産業上の利用可能性】
【００５６】
本発明は和服を床に広げて置かずに空中で簡単にたたむことを可能にして、簡単に洋服ダンスに収納できるようにした和服折りたたみ用具に関するものである。
【図面の簡単な説明】
【００５７】
【図１】本発明の第１実施例を説明する和服折りたたみ用具の平面図
【図２】同和服折りたたみ用具二つ折りした平面図
【図３】同和服折りたたみ用具二つ折りした腕杆端からの側面図
【図４】同和服折りたたみ用具二つ折りした軸部からの側面図
【図５】腕杆の上辺部を示す断面図
【図６】同和服折りたたみ用具の上からの図（開時）
【図７】同和服折りたたみ用具の上からの図（閉時）
【図８】同和服折りたたみ用具の軸部の上からの断面図（開時）
【図９】同和服折りたたみ用具の軸部の上からの断面図（閉時）
【図１０】同和服折りたたみ用具の軸部の拡大図
【図１１】同和服折りたたみ用具の掴み具の側面図
【図１２】本発明の第７実施例を説明する和服折りたたみ方法について、和服の前方からの平面図
【図１３】同和服折りたたみ方法について、本発明の和服折りたたみ用具を和服に納めた状態の和服の前方からの平面図
【図１４】同和服折りたたみ方法について、和服の前方からの平面図
【図１５】同和服折りたたみ方法について、本発明の和服折りたたみ用具の掴み具で前身頃を掴んでいる平面図
【図１６】同和服折りたたみ方法について、本発明の和服折りたたみ用具の掴み具で前身頃を掴んでいる側面図
【図１７】同和服折りたたみ方法について、本発明の和服折りたたみ用具の掴み具で前身頃を掴んでいる平面図
【図１８】同和服折りたたみ方法について和服を腕杆にて折りたたむ解説図
【図１９】同和服折りたたみ方法について和服を腕杆にて折りたたんだ図
【図２０】同和服折りたたみ方法について和服の袖を外方向に折りたたむ解説図
【図２１】同和服折りたたみ方法について和服の裾を上方向に折りたたむ解説図
【図２２】同和服折りたたみ方法について和服の裾を上方向に折りたたんだ図
【図２３】同和服折りたたみ方法について和服をＵ字型ハンガーに掛ける解説図
【図２４】同和服折りたたみ方法について和服をＵ字型ハンガーに掛けた図
【図２５】本発明の第２実施例を説明する和服折りたたみ用具の軸部が分離接合型の場合の分離平面図
【図２６】同和服折りたたみ用具の軸部が分離接合型の場合の平面図
【図２７】同和服折りたたみ用具の軸部が分離接合型の場合の折りたたんだ図
【図２８】同和服折りたたみ用具の軸部が分離接合型の場合の折りたたんだ腕杆端からの側面図
【図２９】同和服折りたたみ用具の軸部が分離接合型の折りたたんだ軸部からの側面図
【図３０】同和服折りたたみ用具の軸部が分離接合型の場合の上からの図
【図３１】同和服折りたたみ用具の軸部が分離接合型の場合の軸部の拡大図
【図３２】同和服折りたたみ用具の軸部が分離接合型の場合の軸部の拡大図
【図３３】同和服折りたたみ用具の軸部が分離接合型の場合の軸部の上からの拡大図
【図３４】同和服折りたたみ用具の軸部が分離接合型の場合の軸部の上からの拡大図
【図３５】同和服折りたたみ用具の軸部が分離接合型の場合の軸部の上からの拡大図
【図３６】本発明の第３実施例を説明する和服折りたたみ用具に布地をかぶせて縫合した場合の平面図
【図３７】同和服折りたたみ用具に布地をかぶせて縫合した場合の平面図
【図３８】同和服折りたたみ用具に布地をかぶせて縫合した場合の上からの拡大図
【図３９】本発明の第４実施例を説明する和服折りたたみ用具に掴み具を取り外し式にした場合の拡大図
【図４０】同和服折りたたみ用具に掴み具を取り外し式にした場合の掴み具
【図４１】同和服折りたたみ用具に掴み具を取り外し式にした場合の平面図
【図４２】本発明の第５実施例を説明する和服折りたたみ用具に掴み具を面ファスナーにした場合の平面図
【図４３】面ファスナーを和服に付ける場合の図
【図４４】同和服折りたたみ用具に掴み具を面ファスナーにした場合の拡大図
【図４５】本発明の第６実施例を説明する和服折りたたみ用具にフックを付けた場合の平面図
【符号の説明】
【００５８】
１、２  腕杆
３  軸部
４  凹部
５、６  凹部（下垂部）
７、８  掴み具
９、１０  下垂部
１１  溝
１２  折り目
１３  掴み具の先端部
１４  掴み具の取り付け片
１５  腕杆上辺の端
１６、１７  肩山
１８、１９  衿
２０、２１  おくみ
２２、２３  剣先
２４  衿肩あき
２６、２７  衿付け
２８  後ろ衿
２９、３０  前身頃
３１、３２  袖
３３  後ろ身頃
３４  裾
３５  Ｕ字型ハンガー
３６、３７  目安線
３８  背縫い
３９、４０  袖山
４１  脇の縫い目
４２、４３、４４、４５  軸部開閉片
４６、４７  軸部開閉片の凸部 
４８、４９  軸部開閉片の穴 
５０、５１  おくみ付け
５２  吊り下げフック
５３、５４  吊り下げフック取り付け用の穴
５７、５８  面ファスナー（和服側）
５９  布地
６０  布地の周囲の縫合線
６１  布地の軸部の縫合線
【図１】
2009261750.tif 000003
【図２】
2009261750.tif 000004
【図３】
2009261750.tif 000005
【図４】
2009261750.tif 000006
【図５】
2009261750.tif 000007
【図６】
2009261750.tif 000008
【図７】
2009261750.tif 000009
【図８】
2009261750.tif 000010
【図９】
2009261750.tif 000011
【図１０】
2009261750.tif 000012
【図１１】
2009261750.tif 000013
【図１２】
2009261750.tif 000014
【図１３】
2009261750.tif 000015
【図１４】
2009261750.tif 000016
【図１５】
2009261750.tif 000017
【図１６】
2009261750.tif 000018
【図１７】
2009261750.tif 000019
【図１８】
2009261750.tif 000020
【図１９】
2009261750.tif 000021
【図２０】
2009261750.tif 000022
【図２１】
2009261750.tif 000023
【図２２】
2009261750.tif 000024
【図２３】
2009261750.tif 000025
【図２４】
2009261750.tif 000026
【図２５】
2009261750.tif 000027
【図２６】
2009261750.tif 000028
【図２７】
2009261750.tif 000029
【図２８】
2009261750.tif 000030
【図２９】
2009261750.tif 000031
【図３０】
2009261750.tif 000032
【図３１】
2009261750.tif 000033
【図３２】
2009261750.tif 000034
【図３３】
2009261750.tif 000035
【図３４】
2009261750.tif 000036
【図３５】
2009261750.tif 000037
【図３６】
2009261750.tif 000038
【図３７】
2009261750.tif 000039
【図３８】
2009261750.tif 000040
【図３９】
2009261750.tif 000041
【図４０】
2009261750.tif 000042
【図４１】
2009261750.tif 000043
【図４２】
2009261750.tif 000044
【図４３】
2009261750.tif 000045
【図４４】
2009261750.tif 000046
【図４５】
2009261750.tif 000047